(57)【要約】      （修正有）【課題】電源変換プラグを外付けする必要がなく、各国の電源コンセントに使用できるテーブルタップを提供する。【解決手段】テーブルタップは、コンセントと、コンセント上に分離可能な状態で接続する複数の変換プラグと、電源プラグと、コンセントと電源プラグを電気的に接続するコードを含む。コンセント上には複数の収納部を設け、各収納部の底部には異なる規格の変換コンセントを設け、電源プラグはコードを通して前記コンセントに電気的に接続する。複数の変換プラグはプラグ足部と差込穴部を含み、差込穴部の規格と電源プラグの規格を一致させ、コンセントの収納部底部の異なる規格の変換コンセントに対応させる変換プラグには、異なる規格のプラグ足部を設置し、変換プラグは分離可能な状態でコンセントに接続する。【選択図】図１
0003176592.tif 000002
【実用新案登録請求の範囲】
【請求項１】
複数の収納部を設け、尚且つ各収納部の底部には異なる規格の変換コンセントを設けるコンセントと、
前記コンセントに電気的に接続する電源プラグと、
複数の電源プラグとを含み、
前記電源プラグは、プラグ足部と差込穴部とを含み、差込穴部の規格と電源プラグの規格を一致させ、コンセントの収納部底部の異なる規格の変換コンセントに対応させる変換プラグには異なる規格のプラグ足部を設置し、また、複数の変換プラグは、プラグ足部によって分離可能な状態でコンセントの収納部の底部の変換コンセントに接続し、他国へ渡航した時は、プラグ足部を電源プラグに接続することを特徴とするテーブルタップ。
【請求項２】
前記収納部は少なくとも四つ以上であることを特徴とする請求項１に記載のテーブルタップ。
【請求項３】
前記収納部は円柱形状をなし、前記変換プラグも収納部に対応して円柱形状をなすことを特徴とする請求項１に記載のテーブルタップ。
【請求項４】
前記コンセントはほぼ長方形状をしており、収納部はコンセントの末端に横方向に設置し、開口は後方に向けてコンセントを貫通し、対応する変換コンセントは横向きに収納部に装着されることを特徴とする請求項１に記載のテーブルタップ。
【請求項５】
前記コンセント末端の収納部の下方には複数のUSB接続口を設置することを特徴とする請求項４に記載のテーブルタップ。
【請求項６】
前記電源プラグ上にはプッシュ構造を設け、該プッシュ構造は電源プラグに枢設し、並びに、電源プラグ上に接続した変換プラグを押し出すことを特徴とする請求項１に記載のテーブルタップ。
【請求項７】
前記テーブルタップはさらにコードを含み、コードはコンセントと電源プラグに電気的に接続することを特徴とする請求項１に記載のテーブルタップ。
【考案の詳細な説明】
【技術分野】
【０００１】
本考案は、電源コンセントに関し、異なる要求に応じて組み合わせて使用できるテーブルタップに係る。
【背景技術】
【０００２】
科学技術の発展に伴い、テーブルタップも益々多様化している。現有するテーブルタップは、通常固定されたコンセント、固定されたプラグ、及びプラグとコンセントに接続するコードを含む。コンセント表面には規格を統一し固定した複数の差込口を設け、プラグもまた単一の固定された形式のプラグである。
【０００３】
しかし、各国で使用されているプラグ形式はそれぞれ異なる。固定式テーブルタップのプラグは、単一の電気製品が単一のコンセントに対応して使用されるもので、その他の規格のコンセントを使用する場合は、使用上大変不便である。国外で自国の電気製品を使用しようとする場合、異なる規格の問題を解決するために、電源変換プラグを用いなければならず、こうしてテーブルタップを滞在国の電源コンセントに使用することができる。だが、使用者が複数国へ渡航する場合、複数の電源変換プラグを持参するのは使用者にとっては非常に不便な事であり、しかも、使用者の経済的負担も大きくなる。
【考案の概要】
【考案が解決しようとする課題】
【０００４】
本考案の主な目的は、電源変換プラグを外付けする必要がなく、各国の電源コンセントに使用できるテーブルタップの提供にある。
【課題を解決するための手段】
【０００５】
本考案の開示するテーブルタップは、コンセントと、コンセント上に分離可能な状態で接続する複数の変換プラグと、電源プラグと、コンセントと電源プラグを電気的に接続するコードを含む。コンセント上には複数の収納部を設け、各収納部の底部には異なる規格の変換コンセントを設け、電源プラグはコードを通して前記コンセントに電気的に接続する。複数の変換プラグはプラグ足部と差込穴部を含み、差込穴部の規格と電源プラグの規格を一致させ、コンセントの収納部底部の異なる規格の変換コンセントに対応させる変換プラグには異なる規格のプラグ足部を設置し、変換プラグは分離可能な状態でコンセントに接続する。
【０００６】
前述をまとめると、本考案のテーブルタップは、コンセント上に複数の収納部を設け、収納部内には異なる規格の変換コンセントを設置する。収納部内に収納した複数の変換プラグのプラグ足部は、変換コンセントに対応させて異なる規格にする。変換プラグの差込穴部と電源プラグの規格は一致しているため、他の国や地区へ渡航した時に、現在いる国や地区で使用されている規格の変換プラグを対応する収納部から引き抜き、その差込穴部と電源プラグを接続するだけでよく、引き抜いていない変換プラグが露出する差込穴部は、使用者の自国や地区で使用していた規格であるため、そこに直接自国や地区での電気製品を接続して使用できる。また、電源プラグ上に接続した変換プラグのプラグ足部と、現在いる国や地区の規格が一致しているため、現在いる国や地区の電源コンセントに接続するだけで使用できる。
【考案の効果】
【０００７】
本考案のテーブルタップは、電源変換プラグを外付けする必要なく、各国の電源コンセントに使用できる機能を有する。
【図面の簡単な説明】
【０００８】
【図１】本考案テーブルタップの実施例の立体図である。
【図２】図１に示したテーブルタップのコンセント、プラグ、コードに関する組立立体図である。
【図３】図１に示したテーブルタップの変換プラグに関する立体図である。
【図４】本考案テーブルタップのもう一つの実施例の立体分解図である。
【図５】図１に示したテーブルタップの使用状態を示す立体図である。
【考案を実施するための形態】
【０００９】
本考案の技術内容、構造特徴、達成される目的、及び効果を明らかにするために、図面を組み合わせた実施例を挙げて詳細説明を行う。
【実施例】
【００１０】
図１に示すとおり、本考案の各国で使用可能なビジネス型テーブルタップ１００は、電源変換プラグを外付けする必要がなく、各国の電源コンセント（未図示）に使用できる。それは、コンセント１０、コンセント１０に分離可能な状態で接続した複数の変換プラグ２０、電源プラグ３０、及びコンセント１０と電源プラグ３０を電気的に接続するコード４０を含む。
【００１１】
図１ないし図３に示すとおり、コンセント１０はほぼ長方形状をしており、上表面には複数の収納部１１を設け、各収納部１１の底部には異なる規格の変換コンセントを設置する。本実施例において、収納部１１は、第一収納部１１１、第二収納部１１２、第三収納部１１３、第四収納部１１４、第五収納部１１５を含む。その内、第一収納部１１１の底部にはイタリア規格用変換コンセント１２１を、第二収納部１１２の底部には南アフリカ規格用変換コンセント１２２を、第三収納部１１３の底部にはフランス・ドイツ規格用変換コンセント１２３を、第四収納部１１４内にはイギリス規格用変換コンセント１２４を、第五収納部１１５の底部にはアメリカ・日本規格用変換コンセント１２５を設ける。第一収納部１１１、第二収納部１１２、第三収納部１１３、第四収納部１１４はほぼ円柱形状であり、第五収納部１１５はコンセント１０の末端に設け、その底部のアメリカ・日本規格用変換コンセント１２５は横方向に第五収納部１１５に装着する。コンセント１０の第五収納部１１５の下部には複数のUSB接続口１１０を設け、USBコネクタを備えた電気製品の使用に利便を図る。
【００１２】
その内、一つの収納部１１（例えば第五収納部１１５）はコンセント１０の末端に横方向に設置し、開口は後方に向けてコンセント１０を貫通するため、コンセント１０の長さを縮小できる。
【００１３】
電源プラグ３０はカナダ規格用プラグである。好ましくは、該電源プラグ３０上にプッシュ構造５０を設ける。プッシュ構造５０は電源プラグ３０に枢設し、並びに、電源プラグ３０上に接続した変換プラグ２０を押し出すことができる。
【００１４】
図１ないし図３に示すとおり、変換プラグ２０はプラグ足部２０１と差込穴部２０２を含む。その内、コンセント１０の収納部１１底部の異なる規格の変換コンセントに対応する変換プラグ２０には、異なるプラグ足部２０１を設置し、差込穴部２０２の規格と電源プラグ３０の規格とは符合し一致する。本実施例において、変換プラグ２０は、第一変換プラグ２１１、第二変換プラグ２１２、第三変換プラグ２１３、第四変換プラグ２１４、第五変換プラグ２１５を含む。第一変換プラグ２１１、第二変換プラグ２１２、第三変換プラグ２１３、第四変換プラグ２１４、及び第五変換プラグ２１５の上表面には、電源プラグ３０と係合する差込穴部２０２を設ける。第一変換プラグ２１１、第二変換プラグ２１２、第三変換プラグ２１３、第四変換プラグ２１４、及び第五変換プラグ２１５の底部には、第一収納部１１１底部のイタリア規格用変換コンセント１２１、第二収納部１１２底部の南アフリカ規格用変換コンセント１２２、第三収納部１１３底部のフランス・ドイツ規格用変換コンセント１２３、第四収納部１１４底部のイギリス規格用変換コンセント１２４、及び第五収納部１１５底部のアメリカ・日本規格用変換コンセント１２５に係合するイタリア規格用プラグ足２２１、南アフリカ規格用プラグ足２２２、フランス・ドイツ規格用プラグ足２２３、イギリス規格用プラグ足２２４、及びアメリカ・日本規格用プラグ足２２５を設ける。第一変換プラグ２１１、第二変換プラグ２１２、第三変換プラグ２１３、第四変換プラグ２１４、及び第五変換プラグ２１５を、第一収納部１１１、第二収納部１１２、第三収納部１１３、第四収納部１１４、及び第五収納部１１５内にそれぞれ取り付けることにより、イタリア規格用プラグ足２２１、南アフリカ規格用プラグ足２２２、フランス・ドイツ規格用プラグ足２２３、イギリス規格用プラグ足２２４、及びアメリカ・日本規格用プラグ足２２５を、イタリア規格用変換コンセント１２１、南アフリカ規格用変換コンセント１２２、フランス・ドイツ規格用変換コンセント１２３、イギリス規格用変換コンセント１２４、及びアメリカ・日本規格用変換コンセント１２５内に挿入し電気的に接続することができる。
【００１５】
本考案における電源プラグ３０と変換プラグ２０の差込穴部２０２は、使用者が通常使用する規格に設計する。例えば、使用者が通常使用する地区が中国（図４参照）であるなら、電源プラグ３０は、中国規格タイプに設計し、それに対応する変換プラグ２０の差込穴部２０２も中国規格タイプに設計する。
【００１６】
本考案のテーブルタップ１００は、コンセント１０上に複数の収納部１１を設け、収納部１１内には異なる規格の変換コンセントを設置する。収納部１１内に収納する複数の変換プラグ２０のプラグ足部２０１は、変換コンセントに対応する異なる規格とする。変換プラグ２０の差込穴部２０２と電源プラグ３０の規格は一致させ、別の国や地区へ渡航した時に、現在いる国や地区で使用されている規格の変換プラグ２０を対応する収納部１１から引き抜き、その差込穴部２０２と電源プラグ３０を接続するだけでよく（図５参照）、引き抜いていない変換プラグ２０が露出する差込穴部２０２は、使用者が自国や地区で使用していた規格であるため、そこに直接、自国や地区での電気製品を接続して使用できる。また、電源プラグ３０上に接続した変換プラグ２０のプラグ足部２０１と、現在いる国や地区の規格が一致しているため、現在いる国や地区の電源コンセント（未図示）に接続するだけで使用できる。
【００１７】
前述をまとめると、本考案のテーブルタップ１００の複数の変換プラグ２０は、プラグ足部２０１をコンセント１０の収納部１１底部の変換コンセント上に分離可能な状態で接続することにより、他の国へ渡航した時、簡単に対応する変換プラグ２０を取り出し、差込穴部２０２を電源プラグ３０上に接続して、滞在国の標準規格の電源プラグに変換して使用することができる。
【符号の説明】
【００１８】
１００  テーブルタップ
１０  コンセント
１１  収納部
２０  変換プラグ
３０  電源プラグ
４０  コード
５０  プッシュ構造
１１０  USB接続口
１１１  第一収納部
１１２  第二収納部
１１３  第三収納部
１１４  第四収納部
１１５  第五収納部
１２１  イタリア規格用変換コンセント
１２２  南アフリカ規格用変換コンセント
１２３  フランス・ドイツ規格用変換コンセント
１２４  イギリス規格用変換コンセント
１２５  アメリカ・日本規格用変換コンセント
２０１  プラグ足部
２０２  差込穴部
２１１  第一変換プラグ
２１２  第二変換プラグ
２１３  第三変換プラグ
２１４  第四変換プラグ
２１５  第五変換プラグ
２２１  イタリア規格用プラグ足
２２２  南アフリカ規格用プラグ足
２２３  フランス・ドイツ規格用プラグ足
２２４  イギリス規格用プラグ足
２２５  アメリカ・日本規格用プラグ足
【図１】
0003176592.tif 000003
【図２】
0003176592.tif 000004
【図３】
0003176592.tif 000005
【図４】
0003176592.tif 000006
【図５】
0003176592.tif 000007
【手続補正書】
【提出日】平成24年4月20日(2012.4.20)
【手続補正１】
【補正対象書類名】実用新案登録請求の範囲
【補正対象項目名】請求項１
【補正方法】変更
【補正の内容】
【請求項１】
複数の収納部を設け、尚且つ各収納部の底部には異なる規格の変換コンセントを設けるコンセントと、
前記コンセントに電気的に接続する電源プラグと、
複数の変換プラグとを含み、
前記変換プラグは、プラグ足部と差込穴部とを含み、差込穴部の規格と電源プラグの規格を一致させ、コンセントの収納部底部の異なる規格の変換コンセントに対応させる変換プラグには異なる規格のプラグ足部を設置し、また、複数の変換プラグは、プラグ足部によって分離可能な状態でコンセントの収納部の底部の変換コンセントに接続し、他国へ渡航した時は、プラグ足部を電源プラグに接続することを特徴とするテーブルタップ。